(57)【要約】【課題】埃や異物の堆積を抑制するとともに、給紙トレイカバーを容易に回動させることが可能な原稿搬送装置及びそれを備えた画像形成装置を提供する。【解決手段】この原稿搬送装置３０は、給紙トレイ３１と、原稿挿入口３４と、原稿挿入口３４の下方に配置される原稿排出口３５と、給紙トレイ３１の下方に配置される排出トレイ３２と、給紙トレイカバー３６と、を備える。給紙トレイカバー３６は、回動軸３６ａを中心として回動することによって、原稿挿入口３４および給紙トレイ３１の上方を覆う第１位置と、給紙トレイ３１の原稿搬送方向上流側に配置され、給紙トレイ３１の原稿載置面を延長する第２位置と、に選択配置される。給紙トレイカバー３６には、給紙トレイカバー３６を回動させる際にユーザーが操作するための突起部３６ｃが形成されている。【選択図】図３
2017077932.tif 000002
【特許請求の範囲】
【請求項１】
原稿が載置される給紙トレイと、
前記給紙トレイ上の原稿が挿入される原稿挿入口と、
前記原稿挿入口の下方に配置され、画像が読み取られた原稿が排出される原稿排出口と、
前記給紙トレイの下方に配置され、前記原稿排出口から排出された原稿が載置される排出トレイと、
原稿搬送方向と直交する原稿幅方向に延びる回動軸と、前記回動軸を中心として回動可能に構成されるトレイ本体と、を有する給紙トレイカバーと、
を備え、
前記給紙トレイカバーは、前記回動軸を中心として回動することによって、前記原稿挿入口および前記給紙トレイの上方を覆う第１位置と、前記給紙トレイの原稿搬送方向上流側に配置され、前記給紙トレイの原稿載置面を延長する第２位置と、に選択配置され、
前記給紙トレイカバーには、前記給紙トレイカバーを回動させる際にユーザーが操作するための突起部が形成されていることを特徴とする原稿搬送装置。
【請求項２】
前記突起部は、前記給紙トレイカバーの装置手前側の部分に設けられていることを特徴とする請求項１に記載の原稿搬送装置。
【請求項３】
前記突起部は、前記トレイ本体の前記回動軸から最も離れた部分に設けられていることを特徴とする請求項１または２に記載の原稿搬送装置。
【請求項４】
前記突起部は、前記トレイ本体の前記回動軸近傍の部分に、前記回動軸と直交する方向に突出するように設けられていることを特徴とする請求項１または２に記載の原稿搬送装置。
【請求項５】
前記トレイ本体は、前記回動軸と一体で回動し、
前記突起部は、前記回動軸の一方端に固定される把持部であることを特徴とする請求項１または２に記載の原稿搬送装置。
【請求項６】
前記排出トレイの前記原稿幅方向の両側にそれぞれ配置される一方側面部および他方側面部をさらに備え、
前記一方側面部の外面は、原稿幅方向外側に向かって下方向に傾斜しており、
前記突起部は、前記一方側面部の上部よりも前記原稿幅方向外側に突出しているとともに、前記一方側面部の下端よりも原稿幅方向内側に配置されていることを特徴とする請求項１または２に記載の原稿搬送装置。
【請求項７】
前記突起部の下面は、前記原稿幅方向外側に向かって上方向に傾斜していることを特徴とする請求項６に記載の原稿搬送装置。
【請求項８】
請求項１〜７のいずれか１項に記載の原稿搬送装置を備えることを特徴とする画像形成装置。
【発明の詳細な説明】
【技術分野】
【０００１】
本発明は、給紙トレイ、排出トレイおよび給紙トレイカバーを含む原稿搬送装置及びそれを備えた画像形成装置に関するものである。
【背景技術】
【０００２】
複写機やファクシミリ等の画像形成装置には、複数枚の原稿を自動的に原稿読取部へと送り出す原稿搬送装置を備えているものがある。原稿搬送装置は、原稿載置トレイ（給紙トレイ）に積み上げられた原稿束の最上層から１枚ずつ分離して搬送する。原稿は、原稿読取部でその表面の画像データを読み取られた後、原稿搬送路の最下流に設けられた原稿排出トレイ（排出トレイ）に排出される。
【０００３】
このような原稿搬送装置として、給紙トレイと、給紙トレイの下方に配置される排出トレイと、給紙トレイ上の原稿が挿入される原稿挿入口と、原稿挿入口の下方に配置される原稿排出口と、回動可能に構成される給紙トレイカバーと、を備えたものが知られている。給紙トレイカバーは、回動することによって、原稿挿入口および給紙トレイの上方を覆う第１位置と、給紙トレイの原稿搬送方向上流側に配置され、原稿載置面を延長する第２位置と、に選択配置される。
【０００４】
給紙トレイの原稿幅方向（原稿搬送方向と直交する方向）の両側には、給紙トレイカバーを支持する側面部が設けられている。装置手前側の側面部の上端部には、ユーザーが給紙トレイカバーの縁部に指をかけるための凹部が形成されている。これにより、給紙トレイカバーが第１位置に配置された状態でユーザーが凹部に指を挿入し、給紙トレイカバーの縁部に指をかけて給紙トレイカバーを回動させることによって、給紙トレイカバーを第２位置に配置することができる。
【０００５】
なお、給紙トレイカバーの側方に設けられた側面部に、ユーザーが給紙トレイカバーの縁部に指をかけるための凹部が形成された原稿搬送装置は、例えば特許文献１に開示されている。
【先行技術文献】
【特許文献】
【０００６】
【特許文献１】特開２０１３−１１８５２７号公報
【発明の概要】
【発明が解決しようとする課題】
【０００７】
しかしながら、従来の原稿搬送装置では、給紙トレイカバーの縁部に指をかけやすくするために、側面部に凹部を設けているので、凹部に埃や異物が溜まってしまうという問題点がある。また、給紙トレイカバーの縁部に指をかけるためには、側面部の凹部に指を挿入した後に、給紙トレイカバーの縁部に指をかける必要があるので、給紙トレイカバーの回動操作性が悪いという問題点もある。また、凹部は比較的見つけにくいという問題点もある。
【０００８】
本発明は、上記のような課題を解決するためになされたものであり、本発明の目的は、埃や異物の堆積を抑制するとともに、給紙トレイカバーを容易に回動させることが可能な原稿搬送装置及びそれを備えた画像形成装置を提供することである。
【課題を解決するための手段】
【０００９】
上記目的を達成するために、本発明の第１の局面に係る原稿搬送装置は、原稿が載置される給紙トレイと、給紙トレイ上の原稿が挿入される原稿挿入口と、原稿挿入口の下方に配置され、画像が読み取られた原稿が排出される原稿排出口と、給紙トレイの下方に配置され、原稿排出口から排出された原稿が載置される排出トレイと、原稿搬送方向と直交する原稿幅方向に延びる回動軸と、回動軸を中心として回動可能に構成されるトレイ本体と、を有する給紙トレイカバーと、を備える。給紙トレイカバーは、回動軸を中心として回動することによって、原稿挿入口および給紙トレイの上方を覆う第１位置と、給紙トレイの原稿搬送方向上流側に配置され、給紙トレイの原稿載置面を延長する第２位置と、に選択配置され、給紙トレイカバーには、給紙トレイカバーを回動させる際にユーザーが操作するための突起部が形成されている。
【発明の効果】
【００１０】
本発明の原稿搬送装置によれば、給紙トレイカバーには、給紙トレイカバーを回動させる際にユーザーが操作するための突起部が形成されている。これにより、上記従来の原稿搬送装置のように凹部を設ける場合と異なり、埃や異物が溜まるのを抑制することができる。
【００１１】
また、凹部に指を挿入することなく、突起部に指をかけることができるので、給紙トレイカバーの回動操作性を向上させることができる。また、凹部に比べて突起部は容易に見つけることができる。これらにより、給紙トレイカバーを容易に回動させることができる。
【図面の簡単な説明】
【００１２】
【図１】本発明の第１実施形態の原稿搬送装置を備えた画像形成装置の構造を示した断面図である。
【図２】本発明の第１実施形態の原稿搬送装置の構造を示した斜視図であり、給紙トレイカバーを第１位置に配置した状態を示した図である。
【図３】本発明の第１実施形態の原稿搬送装置の構造を示した斜視図であり、給紙トレイカバーを第２位置に配置した状態を示した図である。
【図４】本発明の第２実施形態の原稿搬送装置の構造を示した斜視図である。
【図５】本発明の第３実施形態の原稿搬送装置の構造を示した斜視図である。
【図６】本発明の第４実施形態の原稿搬送装置の構造を示した斜視図である。
【図７】本発明の第４実施形態の原稿搬送装置の突起部周辺の構造を示した断面図である。
【発明を実施するための形態】
【００１３】
以下、本発明の実施形態について図面を参照して説明する。
【００１４】
（第１実施形態）
図１〜図３を参照して、本発明の第１実施形態による原稿搬送装置３０を備えた画像形成装置１００の構造について説明する。図１において、画像形成装置１００（ここでは一例としてデジタル複合機を示す）では、コピー動作を行う場合、画像読取装置６において原稿の画像データを読み取り画像信号に変換する。一方、複合機本体２内の画像形成部３において、帯電ユニット４により図中時計回り方向に回転する感光体ドラム５が一様に帯電され、画像読取装置６で読み取られた原稿画像データに基づく露光ユニット（レーザー走査ユニット等）７からのレーザービームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００１５】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、用紙搬送路１６に送られて両面コピーされた後に）排出ローラー対２０ａ又は排出ローラー対２０ｂを介して、第１排出トレイ１７ａ、第２排出トレイ１７ｂから成る用紙排出部に排出される。
【００１６】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像ユニット８等からなる画像形成部３に繋がっている。
【００１７】
複合機本体２の上部には、画像読取装置６が配置されており、複合機本体２の上面には画像読取装置６のコンタクトガラス（図示せず）上に載置される原稿を押さえて保持するプラテン（原稿押さえ）２４が開閉可能に設けられており、プラテン２４上には画像読取装置６の原稿読取部（図示せず）に原稿を自動搬送する原稿搬送装置３０が付設されている。
【００１８】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して二股に分岐し、一方の経路（図１では左方向に分岐する経路）は第２排出トレイ１７ｂに連通するように構成されている。これに対し、他方の経路（図１では下方向に分岐する経路）は用紙搬送路１６に連通するように構成されている。
【００１９】
図２および図３に示すように、原稿搬送装置３０には、原稿が載置される給紙トレイ３１と、給紙トレイ３１の下方に配置され、排出された原稿が載置される排出トレイ３２と、が設けられている。原稿搬送装置３０の原稿搬送部３３内には、給紙トレイ３１から排出トレイ３２に至る原稿搬送路（図示せず）が形成されている。原稿搬送路（図示せず）の原稿搬送方向上流端には、給紙トレイ３１上の原稿が挿入される原稿挿入口３４と、原稿挿入口３４の下方に配置され、画像読取装置６の原稿読取部（図示せず）で画像が読み取られた原稿が排出される原稿排出口３５と、が形成されている。また、原稿搬送部３３内には、原稿搬送路（図示せず）に沿って図示しないピックアップローラー、給紙ローラー、分離板、搬送ローラー対、及び排出ローラー対から成る原稿搬送部材が設けられている。
【００２０】
また、原稿搬送装置３０には、給紙トレイカバー３６と、給紙トレイ３１の原稿幅方向（原稿搬送方向と直交する方向）の一方側（装置手前側）に配置される一方側面部３７と、給紙トレイ３１の原稿幅方向の他方側（装置奥側）に配置される他方側面部３８と、が設けられている。
【００２１】
給紙トレイカバー３６は、原稿幅方向に延びる回動軸３６ａを中心として回動可能に構成されている。具体的には、給紙トレイカバー３６は、回動軸３６ａと、回動軸３６ａに取り付けられたトレイ本体３６ｂと、によって構成されている。回動軸３６ａの両端部は、一方側面部３７および他方側面部３８に回動可能に支持されている。
【００２２】
トレイ本体３６ｂは、回動軸３６ａを中心として回動することによって、原稿挿入口３４および給紙トレイ３１の上方を覆う第１位置（図２の位置）と、給紙トレイ３１の原稿搬送方向上流側（図３の右側）に配置され、給紙トレイ３１の原稿載置面（上面）を延長する第２位置（図３の位置）と、に選択配置される。原稿搬送装置３０の不使用時には、トレイ本体３６ｂが第１位置に配置されて閉状態になり、原稿搬送装置３０の使用時には、トレイ本体３６ｂが第２位置に配置されて開状態になる。
【００２３】
給紙トレイカバー３６には、給紙トレイカバー３６を回動させる際にユーザーが操作する（指をかける、又はつまむ）ための突起部３６ｃが形成されている。突起部３６ｃは、給紙トレイカバー３６の装置手前側の部分に設けられている。
【００２４】
また、突起部３６ｃは本実施形態では、トレイ本体３６ｂの端部（回動軸３６ａから最も離れた部分）に設けられている。また、突起部３６ｃは、トレイ本体３６ｂの側面から原稿幅方向外側（装置手前側）に突出しているとともに、一方側面部３７よりも原稿幅方向外側（装置手前側）に突出している。
【００２５】
本実施形態では、上記のように、給紙トレイカバー３６には、給紙トレイカバー３６を回動させる際にユーザーが操作するための突起部３６ｃが形成されている。これにより、上記従来の原稿搬送装置のように凹部を設ける場合と異なり、埃や異物が溜まるのを抑制することができる。
【００２６】
また、凹部に指を挿入することなく、突起部３６ｃに指をかけることができるので、給紙トレイカバー３６の回動操作性を向上させることができる。また、凹部に比べて突起部３６ｃは容易に見つけることができる。これらにより、給紙トレイカバー３６を容易に回動させることができる。
【００２７】
また、上記のように、突起部３６ｃは、給紙トレイカバー３６の装置手前側の部分に設けられている。これにより、給紙トレイカバー３６の回動操作性をより向上させることができる。
【００２８】
また、上記のように、突起部３６ｃは、トレイ本体３６ｂの回動軸３６ａから最も離れた部分に設けられている。これにより、最も小さい力で給紙トレイカバー３６を回動させることができる。
【００２９】
（第２実施形態）
第２実施形態では図４に示すように、突起部３６ｃは、トレイ本体３６ｂの回動軸３６ａ近傍の部分に設けられている。また、突起部３６ｃは、トレイ本体３６ｂの側面から回動軸３６ａと直交する方向に突出している。
【００３０】
第２実施形態のその他の構造は、上記第１実施形態と同様である。
【００３１】
本実施形態では、上記のように、突起部３６ｃは、トレイ本体３６ｂの回動軸３６ａ近傍の部分に設けられている。これにより、短い操作長で（すなわち、指先を少し動かすだけで）、給紙トレイカバー３６を回動させることができる。
【００３２】
第２実施形態のその他の効果は、上記第１実施形態と同様である。
【００３３】
（第３実施形態）
第３実施形態では図５に示すように、突起部３６ｃは、円柱状に形成され、ユーザーによって把持される把持部である。また、突起部３６ｃは、回動軸３６ａの一方端（装置手前側の端部）に固定され、回動軸３６ａと一体で回動する。なお、回動軸３６ａは、一方側面部３７よりも原稿幅方向外側（装置手前側）に突出している。また、トレイ本体３６ｂは、回動軸３６ａに固定され、回動軸３６ａと一体で回動する。これにより、突起部３６ｃをユーザーが指でつまんで回すと、トレイ本体３６ｂが回動する。
【００３４】
第３実施形態のその他の構造は、上記第１実施形態と同様である。
【００３５】
本実施形態では、上記のように、突起部３６ｃは、回動軸３６ａの一方端に固定され、回動軸３６ａと一体で回動する把持部である。これにより、突起部３６ｃを指でつまんで回すだけで給紙トレイカバー３６を回動させることができるので、回動操作性をより向上させることができる。
【００３６】
第３実施形態のその他の効果は、上記第１実施形態と同様である。
【００３７】
（第４実施形態）
第４実施形態では図６および図７に示すように、突起部３６ｃは、原稿搬送方向（図６の左右方向）においてトレイ本体３６ｂの装置手前側の側部の略全域に設けられている。また、突起部３６ｃは、一方側面部３７の上部よりも原稿幅方向外側（装置手前側）に突出しているとともに、一方側面部３７の下端よりも原稿幅方向内側（装置奥側）に配置されている。
【００３８】
突出部３６ｃの下面３６ｄは、原稿幅方向外側に向かって上方向に傾斜している。その一方、一方側面部３７の外面（装置手前側の側面）３７ａは、原稿幅方向外側に向かって下方向に傾斜している。
【００３９】
本実施形態では、上記のように、突起部３６ｃは、一方側面部３７の上部よりも原稿幅方向外側（装置手前側）に突出しているとともに、一方側面部３７の下端よりも原稿幅方向内側（装置奥側）に配置されているので、突起部３６ｃに指をかけやすい状態（構造）を維持しながら、原稿搬送装置３０の配置スペースが広くなるのを抑制することができる。
【００４０】
また、上記のように、一方側面部３７の外面３７ａは、原稿幅方向外側に向かって下方向に傾斜しており、突起部３６ｃの下面３６ｄは、原稿幅方向外側に向かって上方向に傾斜している。これにより、突起部３６ｃの下面３６ｄ（傾斜面）と一方側面部３７の外面３７ａ（傾斜面）との間の空間を大きくすることができるので、突起部３６ｃに指をかけやすくすることができる。
【００４１】
第４実施形態のその他の効果は、上記第１実施形態と同様である。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
例えば、上記実施形態では、複合機に用いられる原稿搬送装置に本発明を適用した例について示したが、本発明はこれに限らない。言うまでもなく、複写機、ファクシミリ等の画像形成装置に用いられる原稿搬送装置全般に本発明を適用可能である。
【００４４】
また、上述した実施形態の構成を適宜組み合わせて得られる構成についても、本発明の技術的範囲に含まれる。
【符号の説明】
【００４５】
３０  原稿搬送装置
３１  給紙トレイ
３２  排出トレイ
３４  原稿挿入口
３５  原稿排出口
３６  給紙トレイカバー
３６ａ  回動軸
３６ｂ  トレイ本体
３６ｃ  突起部
３６ｄ  下面
３７  一方側面部
３７ａ  外面
３８  他方側面部
１００  画像形成装置
【図１】
2017077932.tif 000003
【図２】
2017077932.tif 000004
【図３】
2017077932.tif 000005
【図４】
2017077932.tif 000006
【図５】
2017077932.tif 000007
【図６】
2017077932.tif 000008
【図７】
2017077932.tif 000009